(57)【要約】【課題】対物レンズを支持するレンズホルダのディスク側端面に施したコーティング層が光ディスクのレーザービーム入射面に衝突したことを検出する。【解決手段】光ディスクを記録及び／又は再生するにあたって、光ピックアップ７０内の対物レンズＯＢ３を支持するレンズホルダ８１のディスク側端面８１ａに、光ディスクよりも柔らかく且つ滑り性の良いコーティング材料を用いてコーティング層８２を施した光ディスク装置５０Ａにおいて、光ディスクの信号面を対物レンズＯＢ３により記録及び／又は再生した時に、コーティング層８２が光ディスクのレーザービーム入射面に衝突したことを検出して光ディスク衝突検出信号８３ａを出力する光ディスク衝突検出器８３をレンズホルダ８１に具備した。【選択図】      図２
2004310970.tif 000002
【特許請求の範囲】
【請求項１】
光ディスクを記録及び／又は再生するにあたって、光ピックアップ内の対物レンズを支持するレンズホルダのディスク側端面に、前記光ディスクよりも柔らかく且つ滑り性の良いコーティング材料を用いてコーティング層を施した光ディスク装置において、
前記光ディスクの信号面を前記対物レンズにより記録及び／又は再生した時に、前記コーティング層が前記光ディスクのレーザービーム入射面に衝突したことを検出して光ディスク衝突検出信号を出力する光ディスク衝突検出器を前記レンズホルダに具備したことを特徴とする光ディスク装置。
【請求項２】
光ディスクを記録及び／又は再生するにあたって、光ピックアップのレンズホルダ内にブルー・レーザービーム用の超高密度光ディスクに対応してワーキングディスタンスが設定されたブルー・レーザービーム用の対物レンズを支持すると共に、前記レンズホルダのディスク側端面に前記光ディスクよりも柔らかく且つ滑り性の良いコーティング材料を用いてコーティング層を施した光ディスク装置であって、
前記光ディスクの信号面をブルー・レーザービーム用の前記対物レンズによりフォーカスサーチした時に、前記コーティング層が前記光ディスクのレーザービーム入射面に衝突したことを検出して光ディスク衝突検出信号を出力するために前記レンズホルダに取り付けた光ディスク衝突検出器と、
前記光ディスク衝突検出信号により、前記光ディスクが前記超高密度光ディスク以外の光ディスクであると判別する光ディスク種類判別手段とを具備したことを特徴とする光ディスク装置。
【請求項３】
光ディスクを記録及び／又は再生するにあたって、光ピックアップのレンズホルダ内にブルー・レーザービーム用の超高密度光ディスクに対応してワーキングディスタンスが設定されたブルー・レーザービーム用の対物レンズを支持すると共に、前記レンズホルダのディスク側端面に前記光ディスクよりも柔らかく且つ滑り性の良いコーティング材料を用いてコーティング層を施した光ディスク装置であって、
前記光ディスクの信号面をブルー・レーザービーム用の前記対物レンズによりフォーカスサーチした時に、前記コーティング層が前記光ディスクのレーザービーム入射面に衝突したことを検出して光ディスク衝突検出信号を出力するために前記レンズホルダに取り付けた光ディスク衝突検出器と、
前記対物レンズを介して出射したブルー・レーザービームが前記光ディスクの信号面で反射された反射光をフォトディテクタで検出した検出信号を基にして演算により求めたフォーカスエラー信号を出力するフォーカスエラー信号検出回路と、
前記衝突検出信号と前記フォーカスエラー信号とにより、前記ブルー・レーザービームが前記光ディスクの信号面に合焦する前に前記コーティング層が前記光ディスクのレーザービーム入射面に衝突した場合に前記光ディスクは前記超高密度光ディスク以外の光ディスクであると判別する一方、前記ブルー・レーザービームが前記光ディスクの信号面に合焦した後に前記コーティング層が前記光ディスクのレーザービーム入射面に衝突した場合に前記光ディスクは前記超高密度光ディスクであり且つ異常状態であると判別する光ディスク種類判別手段とを具備したことを特徴とする光ディスク装置。
【発明の詳細な説明】
【０００１】
【発明の属する技術分野】
本発明は、光ピックアップ内の対物レンズを支持するレンズホルダのディスク側端面に、光ディスクよりも柔らかく且つ滑り性の良いコーティング材料を用いてコーティング層を施した光ディスク装置において、光ディスクの信号面を対物レンズにより記録及び／又は再生した時に、コーティング層が光ディスクのレーザービーム入射面に衝突したことを検出して光ディスク衝突検出信号を出力する光ディスク衝突検出器をレンズホルダに具備したことを特徴とする光ディスク装置に関するものである。
【０００２】
【従来の技術】
一般的に、光ディスクは、映像情報とか音声情報やコンピュータデータなどの情報信号を円盤状のディスク基板上で螺旋状又は同心円状に形成したトラックに高密度に記録し、且つ、記録済みのトラックを再生する際に所望のトラックを高速にアクセスできることから多用されている。
【０００３】
この際、光ディスクは、再生専用タイプと記録再生タイプとに大別できる。ここで、再生専用タイプの光ディスクは、透明な樹脂材を用いて射出成形により円盤状のディスク基板上に凹凸状のピット列でトラックを螺旋状又は同心円状に形成して、この凹凸状のピット列上にアルミなどの反射膜を膜付けして信号面を形成している。一方、記録再生タイプの光ディスクは、透明な樹脂材を用いて射出成形により円盤状のディスク基板上に凹凸状のグルーブとランドとでトラックを螺旋状又は同心円状に予め形成し、これらのグルーブとランド上に記録膜，反射膜を順に膜付けして信号面を形成している。
【０００４】
そして、再生専用タイプの光ディスクは、光ディスク装置内で光ディスクの径方向に移動自在に設けた光ピックアップから対物レンズを介して出射された再生用のレーザービームを信号面に照射して、信号面から反射された戻り光をフォトディテクタで検出して再生している。一方、記録再生タイプの光ディスクは、光ディスク装置内で光ディスクの径方向に移動自在に設けた光ピックアップから対物レンズを介して出射された記録用のレーザービームで信号面の記録膜に情報信号を記録し、この後、記録済みの信号面を上記と同じように再生用のレーザービームで再生している。
【０００５】
上記した光ディスクのうちでＣＤ（Ｃｏｍｐａｃｔ  Ｄｉｓｃ）は、音楽情報を予め記録した再生専用のもの、コンピュータデータを予め記録した再生専用のＣＤ−ＲＯＭ（ＣＤ−Ｒｅａｄ  Ｏｎｌｙ  Ｍｅｍｏｒｙ）  、情報信号を１回だけ記録できる記録再生可能なＣＤ−Ｒ（ＣＤ−Ｒｅｃｏｒｄａｂｌｅ）  などがあり、これらの光ディスクはディスク基板厚みが１．２ｍｍの単一なディスク基板を用いていることからＣＤとして取り扱われている。
【０００６】
一方、ＣＤよりも記録密度を高めたＤＶＤ（Ｄｉｇｉｔａｌ  Ｖｅｒｓａｔｉｌｅ  Ｄｉｓｃ）は、ディジタル化して圧縮した映像や音声を再生する再生専用のもの、コンピュータデータを予め記録した再生専用のＤＶＤ−ＲＯＭ（ＤＶＤ−Ｒｅａｄ  Ｏｎｌｙ  Ｍｅｍｏｒｙ）、情報信号を１回だけ記録できる記録再生可能なＤＶＤ−Ｒ（ＤＶＤ−Ｒｅｃｏｒｄａｂｌｅ）、情報信号を複数回記録できる記録再生可能なＤＶＤ−ＲＷ（ＤＶＤ−Ｒｅｗｒｉｔａｂｌｅ），ＤＶＤ−ＲＡＭ（ＤＶＤ−Ｒａｎｄｏｍ  Ａｃｃｅｓｓ  Ｍｅｍｏｒｙ  ）  などがあり、これらの光ディスクはディスク基板厚みが０．６ｍｍのディスク基板を２枚貼り合わせて用いていることからＤＶＤとして取り扱われている。
【０００７】
更に、最近になって光ディスクに対してより一層高密度化を図るため、ＣＤ，ＤＶＤよりも情報信号を超高密度に記録及び／又は再生できる超高密度光ディスク（例えばＢｌｕ  Ｒａｙ  Ｄｉｓｃ）の開発が盛んに行われている。
【０００８】
図１（ａ）〜（ｃ）はＣＤ，ＤＶＤ，超高密度光ディスクを、光ディスク装置内でそれぞれ再生する場合を模式的に示した図である。
【０００９】
尚、光ディスクに形成した信号面は、上述したように再生専用タイプと記録再生タイプとがあるものの、以下の説明では、光ディスクの種類を検出する場合には再生用のレーザービームを用いる関係上、再生時を中心にして説明する。
【００１０】
まず、図１（ａ）に示したＣＤ１０は、透明な樹脂材を用いて透明ディスク基板１１が、直径１２０ｍｍ又は８０ｍｍ，中心孔の孔径１５ｍｍ，ディスク基板厚み１．２ｍｍで円盤状に形成されており、この透明ディスク基板１１上に信号面１２がトラックピッチを広くして形成され、更に、信号面１２上に保護膜１３が膜付けされている。
【００１１】
そして、上記したＣＤ１０を光ディスク装置内の光ピックアップ（図示せず）により再生する場合には、開口数（ＮＡ）０．４５の対物レンズＯＢ１で絞った波長が７８０ｎｍのレーザービームＬ１を透明ディスク基板１１のレーザービーム入射面１１ａ側から信号面１２に照射し、この信号面１２で反射した戻り光で信号面１２を再生している。
【００１２】
ここで、透明ディスク基板１１側に形成した信号面１２は、透明ディスク基板１１のレーザービーム入射面１１ａから略１．２ｍｍの位置にあり、且つ、この信号面１２上にＮＡ０．４５の対物レンズＯＢ１からのレーザービームＬ１を合焦させた時に、対物レンズＯＢ１と透明ディスク基板１１のレーザービーム入射面１１ａとの間のワーキングディスタンスＷＤ１は略１．７ｍｍ程度である。
【００１３】
次に、図１（ｂ）に示したＤＶＤ２０は、透明な樹脂材を用いた透明ディスク基板２１と、樹脂材を用いた補強用ディスク基板２４とがそれぞれ直径１２０ｍｍ，中心孔の孔径１５ｍｍ，ディスク基板厚み０．６ｍｍで円盤状に形成されて、両ディスク基板２１，２４同士を貼り合わせて合計のディスク基板厚みが１．２ｍｍに形成されている。この際、透明ディスク基板２１上に信号面２２がトラックピッチをＣＤ１０より狭く形成され、更に、信号面２２上に接着材層２３を介して補強用ディスク基板２４が貼り合わされている。
【００１４】
そして、上記したＤＶＤ２０を光ディスク装置内の光ピックアップ（図示せず）により再生する場合には、開口数（ＮＡ）０．５〜０．６の対物レンズＯＢ２で絞った波長が６５０ｎｍ近辺のレーザービームＬ２を透明ディスク基板２１のレーザービーム入射面２１ａ側から信号面２２に照射し、この信号面２２で反射した戻り光で信号面２２を再生している。
【００１５】
ここで、透明ディスク基板２１に形成した信号面２２は、透明ディスク基板２１のレーザービーム入射面２１ａから略０．６ｍｍの位置にあり、且つ、この信号面２２上にＮＡ０．６の対物レンズＯＢ２からのレーザービームＬ２を合焦させた時に、対物レンズＯＢ２と透明ディスク基板２１のレーザービーム入射面２１ａとの間のワーキングディスタンスＷＤ２は略１．７ｍｍ程度である。
【００１６】
次に、図１（ｃ）に示した超高密度光ディスク３０は、上述したように現時点で研究段階であるものの、概略の仕様は決められている。
【００１７】
この仕様によると、超高密度光ディスク３０は、樹脂材を用いたディスク基板３１が直径１２０ｍｍ，中心孔の孔径１５ｍｍ，ディスク基板厚み略１．１５〜〜１．０ｍｍに円盤状に形成され、且つ、厚みが略０．０５〜０．２ｍｍの透明な樹脂シートを用いた透明樹脂シート基板３４がディスク基板３１に合わせて直径１２０ｍｍ，中心孔の孔径が１５ｍｍよりごく僅かに大径に形成されて、両基板３１，３４同士を貼り合わせて合計のディスク基板厚みが１．２ｍｍに形成されている。この際、ディスク基板３１の一方の面３１ａに信号面３２がトラックピッチをＤＶＤよりもより一層狭く形成されているために３．３Ｇバイトから２７Ｇバイト程度まで記録及び／又は再生可能になっており、この信号面３２側に透明接着材層３３を介して厚みが略０．０５〜０．２の透明樹脂シート基板３４を貼り合せている。
【００１８】
そして、上記した超高密度光ディスク３０を光ディスク装置内の光ピックアップ（図示せず）により再生する場合には、開口数（ＮＡ）０．７〜０．８５の対物レンズＯＢ３で絞った波長が４００ｎｍ近辺のブルー・レーザービームＬ３を透明樹脂シート基板３４のレーザービーム入射面３４ａ側からディスク基板３１上に形成した信号面３２に照射し、この信号面３２で反射した戻り光で信号面３２を再生している。
【００１９】
ここで、ディスク基板３１側に形成した信号面３２は、透明樹脂シート基板３４のレーザービーム入射面３４ａから略０．０５〜０．２ｍｍの位置にあり、且つ、この信号面３２上にＮＡ０．７〜０．８５の対物レンズＯＢ３からのブルー・レーザービームＬ３を合焦させた時に、対物レンズＯＢ３と透明樹脂シート基板３４のレーザービーム入射面３４ａとの間のワーキングディスタンスＷＤ３は０．４ｍｍ以下である。
【００２０】
尚、上記した超高密度光ディスク３０は、ディスク基板３１上に信号面３２を射出成形法により形成した場合を説明しているが、透明樹脂シート基板３４側に信号面を形成する方法もあり、この場合には、図示を省略するものの、周知のフォトポリマー成形法（２Ｐ法）や圧縮成形法などを用いて、厚みが略０．０５〜０．２ｍｍの透明樹脂シート基板３４上に紫外線によって硬化する透明樹脂を充填してこの上からスタンパ（図示せず）を当てて、透明樹脂シート基板３４側から紫外線を照射することで、再生用のピット列、又は、記録再生用のグルーブとランドとを予め形成して信号面とし、この信号面上に接着材層を介して厚みが略１．１５〜１．０ｍｍの補強用ディスク基板を貼り合わせて超高密度光ディスクを形成する方法もある。
【００２１】
ここで、上記したＣＤ１０，ＤＶＤ２０は既に市販されているため、ＣＤ１０，ＤＶＤ２０を光ディスク装置（図示せず）を用いて記録及び／又は再生するにあたって、最近の光ディスク装置はＣＤ１０とＤＶＤ２０の両者を選択的に装着可能に構成され、ユーザーがＣＤ１０又はＤＶＤ２０のいずれかを光ディスク装置内に装着した時に、光ディスク装置内で各種のディスク種類判別方法によりＣＤ１０であるか、それともＤＶＤ２０であるかを判別している。この一例として、光ディスク装置内で光ピックアップ（図示せず）を用いて光ディスクの反射光から得たＲＦ（高周波）信号によりＣＤ１０とＤＶＤ２０とを判別できる方法などがある（例えば、特許文献１参照）。
【００２２】
また、光ディスク装置において、光ピックアップにより光ディスクを再生した時に、対物レンズが光ディスクのレーザービーム入射面に衝突して光ディスクのレーザービーム入射面や対物レンズが損傷しないように、対物レンズを支持するレンズホルダのディスク側端面に光ディスクよりも柔らかく且つ滑り性が良いコーティング材料を用いてコーティング層を施したものがある（例えば、特許文献２参照）。
【００２３】
【特許文献１】
特開平１１−２５０５５８号公報（第６−７頁、第２図）
【００２４】
【特許文献２】
特開２００２−２２２５３５号公報（第５−７頁、第３図）
【００２５】
【発明が解決しようとする課題】
ところで、光ディスク装置内で光ディスクを記録及び／又は再生する場合には、光ディスクの種別を予め判別し、光ディスクへのフォーカスサーボを正常に行わねばならない。
【００２６】
そこで、上記した特許文献１による従来の記録媒体判別方法では、ここでの図示を省略するものの、トラックピッチの異なる複数種類の光ディスクの種類を判別する際に、トラックピッチの広いＣＤを再生するためのレーザービームをＣＤ又はＤＶＤに照射してその焦点を徐々に変化させる制御を行い、このＣＤ又はＤＶＤから反射した戻り光によって得られる再生信号が所定の範囲内となっている条件下で、トラッキングエラー信号のレベルを測定し、このトラッキングエラー信号のピークトゥピーク（ｐ−ｐ）の値が基準値以下の場合にＣＤよりトラックピッチがより狭いＤＶＤであると判別しているが、これを実施できるのは図１（ａ），（ｂ）で説明したように、ＣＤ１０のワーキングディスタンスＷＤ１が略１．７ｍｍ程度であり、ＤＶＤ２０のワーキングディスタンスＷＤ２も略１．７ｍｍ程度であるので、ＣＤ用の対物レンズＯＢ１をフォーカシングしている最中にこの対物レンズＯＢ１がＣＤ１０の透明ディスク基板１１又はＤＶＤ２０の透明ディスク基板２１に衝突する危険性が少ないからである。
【００２７】
一方、前述したように、ＤＶＤ２０よりも更に一層高密度化が図られた超高密度光ディスク３０が近い将来出現する可能性があり、この超高密度光ディスク３０が出回った場合に、ブルー・レーザービーム用の対物レンズＯＢ３を備えて超高密度光ディスク用として新たに開発した光ディスク装置が市販される可能性が高い。この際、超高密度光ディスク用として新たに開発した光ディスク装置内にＣＤ１０，ＤＶＤ２０が選択的に装着された時に、超高密度光ディスク用の光ピックアップ（図示せず）が動作すると、図１（ｃ）で説明したように超高密度光ディスク用の光ピックアップ内に設けた対物レンズＯＬＢ３のワーキングディスタンスＷＤ３が０．４ｍｍ以下であるので、対物レンズＯＬＢ３から出射したブルー・レーザービームＬ３がＣＤ１０の信号面１２又はＤＶＤ２０の信号面２２に合焦する前に、対物レンズＯＬＢ３がＣＤ１０のレーザービーム入射面１１ａ又はＤＶＤ２０のレーザービーム入射面２１ａに衝突する。
【００２８】
この時、上記した特許文献２に開示された光学ピックアップ装置及びディスクドライブ装置の技術的思想を適用すれば、対物レンズを支持するレンズホルダのディスク側端面に施したコーティング層が光ディスクのレーザービーム入射面に衝突しても光ディスクのレーザービーム入射面が損傷しないので、ＣＤ１０のレーザービーム入射面１１ａ又はＤＶＤ２０のレーザービーム入射面２１ａを傷つけてしまうことを防止できるものの、光ディスクの回転機構に対して悪影響を生じることが予想されると共に、この状態でＣＤ１０又はＤＶＤ２０が超高密度光ディスク用として新たに開発した光ディスク装置内に装着されたままとなるので、この光ディスク装置の使用勝手が悪いなどの問題点がある。
【００２９】
そこで、ブルー・レーザービーム用の対物レンズＯＢ３を備えて超高密度光ディスク用として光ディスク装置を新たに開発するにあたって、上記した特許文献２の技術的思想の一部を適用しながら超高密度光ディスク３０と、超高密度光ディスク以外の光ディスクであるＣＤ１０又はＤＶＤ２０とを判別できる光ディスク装置が望まれている。
【００３０】
【課題を解決するための手段】
本発明は上記課題に鑑みてなされたものであり、第１の発明は、光ディスクを記録及び／又は再生するにあたって、光ピックアップ内の対物レンズを支持するレンズホルダのディスク側端面に、前記光ディスクよりも柔らかく且つ滑り性の良いコーティング材料を用いてコーティング層を施した光ディスク装置において、
前記光ディスクの信号面を前記対物レンズにより記録及び／又は再生した時に、前記コーティング層が前記光ディスクのレーザービーム入射面に衝突したことを検出して光ディスク衝突検出信号を出力する光ディスク衝突検出器を前記レンズホルダに具備したことを特徴とする光ディスク装置である。
【００３１】
また、第２の発明は、光ディスクを記録及び／又は再生するにあたって、光ピックアップのレンズホルダ内にブルー・レーザービーム用の超高密度光ディスクに対応してワーキングディスタンスが設定されたブルー・レーザービーム用の対物レンズを支持すると共に、前記レンズホルダのディスク側端面に前記光ディスクよりも柔らかく且つ滑り性の良いコーティング材料を用いてコーティング層を施した光ディスク装置であって、
前記光ディスクの信号面をブルー・レーザービーム用の前記対物レンズによりフォーカスサーチした時に、前記コーティング層が前記光ディスクのレーザービーム入射面に衝突したことを検出して光ディスク衝突検出信号を出力するために前記レンズホルダに取り付けた光ディスク衝突検出器と、
前記光ディスク衝突検出信号により、前記光ディスクが前記超高密度光ディスク以外の光ディスクであると判別する光ディスク種類判別手段とを具備したことを特徴とする光ディスク装置である。
【００３２】
更に、第３の発明は、光ディスクを記録及び／又は再生するにあたって、光ピックアップのレンズホルダ内にブルー・レーザービーム用の超高密度光ディスクに対応してワーキングディスタンスが設定されたブルー・レーザービーム用の対物レンズを支持すると共に、前記レンズホルダのディスク側端面に前記光ディスクよりも柔らかく且つ滑り性の良いコーティング材料を用いてコーティング層を施した光ディスク装置であって、
前記光ディスクの信号面をブルー・レーザービーム用の前記対物レンズによりフォーカスサーチした時に、前記コーティング層が前記光ディスクのレーザービーム入射面に衝突したことを検出して光ディスク衝突検出信号を出力するために前記レンズホルダに取り付けた光ディスク衝突検出器と、
前記対物レンズを介して出射したブルー・レーザービームが前記光ディスクの信号面で反射された反射光をフォトディテクタで検出した検出信号を基にして演算により求めたフォーカスエラー信号を出力するフォーカスエラー信号検出回路と、
前記衝突検出信号と前記フォーカスエラー信号とにより、前記ブルー・レーザービームが前記光ディスクの信号面に合焦する前に前記コーティング層が前記光ディスクのレーザービーム入射面に衝突した場合に前記光ディスクは前記超高密度光ディスク以外の光ディスクであると判別する一方、前記ブルー・レーザービームが前記光ディスクの信号面に合焦した後に前記コーティング層が前記光ディスクのレーザービーム入射面に衝突した場合に前記光ディスクは前記超高密度光ディスクであり且つ異常状態であると判別する光ディスク種類判別手段とを具備したことを特徴とする光ディスク装置である。
【００３３】
【発明の実施の形態】
以下に本発明に係る光ディスク装置の一実施例を図２乃至図１２を参照して＜第１実施例＞，＜第２実施例＞の順に詳細に説明する。尚、第１，第２実施例の説明において、先に図１（ａ）〜（ｃ）を用いて説明した部材と同じ部材に対して同じ符番を付して説明する。
【００３４】
＜第１実施例＞
図２は本発明に係る第１実施例の光ディスク装置を説明するために模式的に示したブロック図、
図３は図２に示した光ピックアップ内のレンズホルダ部を拡大して示した斜視図である。
【００３５】
まず、始めに、本発明に係る第１実施例の光ディスク装置の構成について、図２及び図３を用いて説明する。
【００３６】
図２に示した如く、本発明に係る第１実施例の光ディスク装置５０Ａでは、先に図１（ｃ）を用いて説明した超高密度光ディスク３０が図示しないターンテーブル上に回転自在に装着されており、この超高密度光ディスク３０と対応して波長が４００ｎｍ近辺のブルー・レーザービームＬ３を出射するための光ピックアップ７０が超高密度光ディスク３０の径方向に移動自在に設けられている。
【００３７】
尚、以下の説明では、第１実施例の光ディスク装置５０Ａ内に先に図１（ａ），（ｂ）を用いて説明したＣＤ１０，ＤＶＤ２０を記録及び／又は再生するためのＣＤ用の光ピックアップ及び／又はＤＶＤ用の光ピックアップを別途設けることも可能であるがここでの図示を省略する。
【００３８】
上記した超高密度光ディスク用の光ピックアップ７０は、光ピックアップ筐体７１内で後述するレンズホルダ部８０の下方に、超高密度光ディスク用として波長が４００ｎｍ近辺のブルー・レーザー光を出射する半導体レーザー７２と、コリメータレンズ７３と、半導体レーザー７２からのブルー・レーザー光を対物レンズＯＢ３側に分離すると共に超高密度光ディスク３０からの反射光を４分割型フォトディテクタ７６側に分離するビームスプリッタ７４と、集光レンズ７５と、超高密度光ディスク３０からの反射光を受光する４分割型フォトディテクタ７６とが設けられている。
【００３９】
また、光ピックアップ筐体７１内の上方部位には、本発明の要部の一部となるレンズホルダ部８０が設けられている。このレンズホルダ部８０は、図２中での揺動機構の図示を省略しているものの、図３に拡大して示した如く、レンズホルダ８１の内部に取り付けた対物レンズＯＢ３と一体にレンズホルダ８１が計６本のサスペンションワイヤ８６を介して超高密度光ディスク３０に対してトラッキング方向及びフォーカス方向に揺動自在に支持されている。
【００４０】
より具体的に説明すると、レンズホルダ８１は、非導電性の樹脂材などを用いて下方側の外枠が略直方形状に形成され、且つ、上方側の外枠が下方側と同心的に高さの低い円筒状に一体的に形成されている。そして、レンズホルダ８１の上方側の円筒状部位で超高密度光ディスク３０と対向するディスク側端面（上面）８１ａに超高密度光ディスク３０よりも柔らかく且つ滑り性の良いフッ素系樹脂などのコーティング材料を用いてコーティング層８２が施されており、これによりコーティング層８２が超高密度光ディスク３０以外の光ディスク（ＣＤ１０，ＤＶＤ２０…図１）のレーザービーム入射面に衝突（接触）しても光ディスクのレーザービーム入射面を損傷することがないようになっていると共に、下記する対物レンズＯＢ３も保護している。この際、レンズホルダ８１のディスク側端面８１ａに施したコーティング層８２は、光ピックアップ筐体７１の上面から超高密度光ディスク３０側に向かって突出している。
【００４１】
また、レンズホルダ８１のディスク側端面８１ａの中心部位には、このディスク側端面８１ａより一段引っ込んだ凹孔８１ｂが形成されており、この凹孔８１ｂ内にブルー・レーザービーム用として開口数（ＮＡ）０．７〜０．８５の対物レンズＯＢ３が取り付けられている。この対物レンズＯＢ３は、ブルー・レーザービーム用の超高密度光ディスク３０に対応してワーキングディスタンスＷＤ３｛図１（ｃ）｝が０．４ｍｍ以下に設定されている。
【００４２】
また、レンズホルダ８１の下方側の矩形状部位の下面８１ｃには光ディスク衝突検出器８３が一体的に取り付けられている。この光ディスク衝突検出器８３は、後述するように超高密度光ディスク３０以外の光ディスクで、例えば、先に図１（ａ）を用いて説明したＣＤ１０、又は、先に図１（ｂ）を用いて説明したＤＶＤ２０が装着された場合に、対物レンズＯＢ３のワーキングディスタンスＷＤ３｛図１（ｃ）｝が０．４ｍｍ以下であるために、ＣＤ１０の信号面１２又はＤＶＤ２０の信号面２２を対物レンズＯＢ３によりフォーカスサーチした時に、対物レンズＯＢ３から出射したブルー・レーザービームＬ３がＣＤ１０の信号面１２又はＤＶＤ２０の信号面２２に合焦する前にレンズホルダ８１のディスク側端面８１ａに施したコーティング層８２がＣＤ１０のレーザービーム入射面１１ａ又はＤＶＤ２０のレーザービーム入射面２１ａに衝突したことを検出して光ディスク衝突検出信号８３ａを出力するためのものである。
【００４３】
この際、光ディスク衝突検出器８３は、衝突時の衝撃力を検出できる圧電素子などを用いている。
【００４４】
また、レンズホルダ８１の下方側の矩形状部位の外側で、対物レンズＯＢ３を挟んだ前面８１ｄ及び後面８１ｅにトラッキングコイル８４，８４及びフォーカスコイル８５，８５が接着剤などを用いて固着されている。
【００４５】
更に、レンズホルダ８１の下方側の矩形状部位の外側で左側面８１ｆ及び右側面８１ｇには、導電性がある計６本のサスペンションワイヤ８６の各一端が固着され、且つ、６本のサスペンションワイヤ８６の各他端が固定側となるサスペンションワイヤ支持部材８７に固着されている。この際、サスペンションワイヤ支持部材８７は光ピックアップ筐体７１（図２）内で不図示のベース台上に固定されている。また、６本のサスペンションワイヤ８６のうちで上段の２本はトラッキングコイル８４，８４に接続され、且つ、中段の２本はフォーカスコイル８５，８５に接続され、更に、下段の２本は光ディスク衝突検出器８３に接続されている。
【００４６】
尚、ここでの図示を省略するものの、トラッキングコイル８４，８４及びフォーカスコイル８５，８５と対向して一対のマグネットが一対のヨークに固着されており、且つ、一対のヨークは不図示のベース台上から立ち上げられている。
【００４７】
上記の構成により、レンズホルダ部８０のレンズホルダ８１は対物レンズＯＢ３と一体に６本のサスペンションワイヤ８６を介して超高密度光ディスク３０に対してトラッキング方向及びフォーカス方向に揺動自在になっている。
【００４８】
再び図２に戻り、光ディスク装置５０Ａ内には、レーザー駆動回路５１が光ピックアップ７０の光ピックアップ筐体７１内に設けた半導体レーザー７２に接続されており、超高密度光ディスク３０を記録及び／又は再生する時にはレーザー駆動回路５１を駆動することにより半導体レーザー７２から記録用のブルー・レーザー光を出射したり、又は、再生用のブルー・レーザー光を出射できるようになっているが、ここでは超高密度光ディスク３０の再生時についてのみ説明する。
【００４９】
ここで、レーザー駆動回路５１を駆動して半導体レーザー７２から再生用のブルー・レーザー光を出射させると、このブルー・レーザー光はコリメータレンズ７３，ビームスプリッタ７４を経由して対物レンズＯＢ３に入射され、この対物レンズＯＢ３で絞り込んだブルー・レーザービームＬ３は、超高密度光ディスク３０の透明樹脂シート基板３４，透明接着材層３３を通って信号面３２に到達し、この後、信号面３２に膜付けした金属反射層（図示せず）で反射され、戻りの反射光が対物レンズＯＢ３を通過してビームスプリッタ７４の半透過膜で反射されて集光レンズ７５を介して４分割型フォトディテクタ７６に入射され、この４分割型フォトディテクタ７６で反射光を光電変換した検出信号７６ａが検出されている。
【００５０】
そして、４分割型フォトディテクタ７６から出力された検出信号７６ａをプリアンプ５２に入力し、このプリアンプ５２で増幅している。そして、プリアンプ５２で増幅された増幅検出信号５２ａを、トラッキングエラー信号検出回路５３と、フォーカスエラー信号検出回路５４と、ＲＦ信号検出回路５５とに分岐して入力している。
【００５１】
次に、上記したトラッキングエラー信号検出回路５３は、例えばＣＤや記録型ＤＶＤで使用されるプッシュプル法を例にとると、プリアンプ５２で増幅された増幅検出信号５２ａを基にして、４分割型フォトディテクタ７６内で４分割した不図示のＡ領域〜Ｄ領域からのＡ信号〜Ｄ信号に対して｛（Ａ＋Ｂ）−（Ｃ＋Ｄ）｝を演算することでトラッキングエラー信号５３ａを得て、このトラッキングエラー信号５３ａをトラッキング制御回路５７に出力している。そして、トラッキング制御回路５７からのトラッキング制御信号５７ａをレンズホルダ部８０のレンズホルダ８１に取り付けたトラッキングコイル８４に供給することで、トラッキングコイル８４と不図示のマグネットとによる磁気力でレンズホルダ８１と一体に対物レンズＯＢ３が超高密度光ディスク３０に対してトラッキング方向に制御されている。
【００５２】
次に、上記したフォーカスエラー信号検出回路５４は、プリアンプ５２で増幅された増幅検出信号５２ａを基にして、４分割型フォトディテクタ７６内で４分割した不図示のＡ領域〜Ｄ領域からのＡ信号〜Ｄ信号に対して｛（Ａ＋Ｄ）−（Ｂ＋Ｃ）｝を演算することでフォーカスエラー信号５４ａを得て、このフォーカスエラー信号５４ａをフォーカス制御回路５８に出力している。そして、フォーカス制御回路５８からのフォーカス制御信号５８ａをレンズホルダ部８０のレンズホルダ８１に取り付けたフォーカスコイル８５に供給することで、フォーカスコイル８５と不図示のマグネットとによる磁気力でレンズホルダ８１と一体に対物レンズＯＢ３が超高密度光ディスク３０に対してフォーカス方向に制御されている。
【００５３】
尚、フォーカスエラー信号及びトラッキングエラー信号の検出は、ナイフエッジ法，ＳＳＤ法，プッシュプル法，３ビーム法など、種々の公知の方法によって行うことができる。
【００５４】
次に、上記したＲＦ信号検出回路５５は、プリアンプ５２で増幅された増幅検出信号５２ａを基にして、４分割型フォトディテクタ７６内で４分割した不図示のＡ領域〜Ｄ領域からのＡ信号〜Ｄ信号に対して（Ａ＋Ｂ＋Ｃ＋Ｄ）を演算することでＲＦ信号５５ａを得て、このＲＦ信号５５ａを再生信号処理回路５６に入力してここで光ディスクのフォーマットに従って信号処理した後に再生信号５６ａを出力している。
【００５５】
次に、レンズホルダ部８０のレンズホルダ８１のディスク側端面８１ａ（図３）に施したコーティング層８２が光ディスクのレーザービーム入射面に衝突したことを検出するために、レンズホルダ８１の下面８１ｃ（図３）に取り付けた光ディスク衝突検出器８３からの光ディスク衝突検出信号８３ａは、光ディスク衝突検出回路５９に入力されており、この光ディスク衝突検出回路５９内で光ディスク衝突検出信号８３ａに対して予め設定した所定の閾値より大きいか否かを比較して、この光ディスク衝突検出信号８３ａが所定の閾値より大きい場合にはコーティング層８２が光ディスクのレーザービーム入射面に衝突したと判定し、一方、所定の閾値より小さい場合にはコーティング層８２が光ディスクのレーザービーム入射面に衝突していないと判定し、この判定結果５９ａを光ディスク種類判別回路６０に入力している。
【００５６】
この後、光ディスク種類判別回路６０では、光ディスク衝突検出回路５９によりコーティング層８２が光ディスクのレーザービーム入射面に衝突したと判定した場合には超高密度光ディスク３０以外の光ディスク（ＣＤ１０，ＤＶＤ２０…図１）であると判別し、一方、コーティング層８２が光ディスクのレーザービーム入射面に衝突していないと判定した場合には超高密度光ディスク３０であると判別して、この光ディスク種類判別結果を光ディスク種類判別回路６０から出力するようになっている。
【００５７】
尚、実施例では、光ディスク衝突検出器８３からの光ディスク衝突検出信号８３ａを光ディスク衝突検出回路５９に入力しているが、光ディスク衝突検出信号８３ａを光ディスク判別回路６０に直接入力して、ここで光ディスク衝突検出と光ディスク種類判別とを同時処理することも可能であり、また、光ディスク種類判別回路６０は周知のＣＰＵを用いて処理することも可能である。
【００５８】
ここで、上記のように構成した本発明に係る第１実施例の光ディスク装置５０Ａ内で光ディスク衝突検出器８３からの光ディスク衝突検出信号８３ａを用いて光ディスクの種類を判別する方法について、先に説明した図２及び下記に示す新たな図４〜図８を併用して具体的に説明する。
【００５９】
図４は本発明に係る第１実施例の光ディスク装置において、光ディスクの種類を判別する動作を説明するためのフロー図、
図５は本発明に係る第１実施例の光ディスク装置において、超高密度光ディスクが装着された場合を模式的に示した縦断面図、
図６は本発明に係る第１実施例の光ディスク装置において、超高密度光ディスクを再生した場合の波形図、
図７は本発明に係る第１実施例の光ディスク装置において、ＤＶＤが装着された場合を模式的に示した縦断面図、
図８は本発明に係る第１実施例の光ディスク装置において、ＤＶＤを再生した場合の波形図である。
【００６０】
図２及び図４に示した如く、ステップＳ１で光ピックアップ７０によりフォーカスサーチを開始すると、レンズホルダ部８０のレンズホルダ８１と一体に対物レンズＯＢ３がフォーカス方向に移動する。
【００６１】
次に、ステップＳ２でレンズホルダ８１の光ディスク側端面８１ａに施したコーティング層８２が光ディスクのレーザービーム入射面に衝突したか否かをレンズホルダ８１の下面に取り付けた光ディスク衝突検出器８３からの光ディスク衝突検出信号８３ａにより光ディスク衝突検出回路５９で検出する。
【００６２】
そして、ステップＳ２でコーティング層８２が光ディスクのレーザービーム入射面に衝突していないと判断した場合（ＮＯの場合）は、図５に示した如く、光ディスク装置５０Ａ内に超高密度光ディスク３０を装着した場合であり、この場合には、レンズホルダ８１内に取り付けた対物レンズＯＢ３が超高密度光ディスク用であるために、レンズホルダ８１の光ディスク側端面８１ａに施したコーティング層８２は、対物レンズＯＢ３から出射したブルー・レーザービームＬ３が超高密度光ディスク３０の信号面３２に合焦する前に超高密度光ディスク３０のレーザービーム入射面３４ａに衝突することはなく、ゆえに図６（ｃ）に示したように光ディスク衝突検出器８３からの光ディスク衝突検出信号８３ａは０Ｖとなり、光ディスク衝突検出回路５９で衝突していないことを検出している。これに伴ってレンズホルダ８１は図６（ａ）に示したように動き、フォーカスエラー信号検出回路５４からは図６（ｂ）に示したようなフォーカスエラー信号５４ａが得られる。
【００６３】
ここで、フォーカスエラー信号５４ａは対物レンズＯＢ３から出射したブルー・レーザービームＬ３の焦点と超高密度光ディスク３０の信号面３２との距離に応じた電圧値であり、ブルー・レーザービームＬ３が超高密度光ディスク３０の信号面３２に合焦している場合は０Ｖとなり、合焦点近傍では正負に振れ、距離が大きくなると再び０Ｖに戻るため、図６（ｂ）に示したようにフォーカスエラー信号５４ａはＳ字カーブを描く。また、フォーカスサーチにより対物レンズＯＢ３が合焦する位置よりも近づく場合と遠ざかる場合とに対応して、図６（ｂ）に示したように左右対称なＳ字カーブが得られる。
【００６４】
この後、図４に示したステップＳ３で光ディスク種類判別回路６０により超高密度光ディスク３０であると判別し、ステップＳ４でフォーカスサーボを実行して、ステップＳ５で対物レンズＯＢ３による超高密度光ディスク３０への再生動作を行う。
【００６５】
一方、ステップＳ２でコーティング層８２が光ディスクのレーザービーム入射面に衝突していると判断した場合（ＹＥＳの場合）は、図７に示した如く、光ディスク装置５０Ａ内に超高密度光ディスク３０以外の光ディスクで例えばＤＶＤ２０を装着した場合であり、この場合には、レンズホルダ８１内に取り付けた対物レンズＯＢ３が超高密度光ディスク用であるために、前述のように、レンズホルダ８１の光ディスク側端面８１ａに施したコーティング層８２は、対物レンズＯＢ３から出射したブルー・レーザービームＬ３がＤＶＤ２０の信号面２２に合焦する前にＤＶＤ２０のレーザービーム入射面２１ａに衝突する。ゆえに図８（ｃ）に示したように光ディスク衝突検出器８３からの光ディスク衝突検出信号８３ａは途中から例えば５Ｖとなり、光ディスク衝突検出回路５９で衝突していることを検出する。この際、フォーカスエラー信号検出回路５４からのフォーカスエラー信号５４ａは図８（ｂ）に示したように０Ｖのままであるため、対物レンズＯＢ３から出射したブルー・レーザービームＬ３がＤＶＤ２０の信号面２２に合焦する前にＤＶＤ２０のレーザービーム入射面２１ａに衝突していることがわかる。
【００６６】
これにより、図４に示したステップＳ６で光ディスク種類判別回路６０により超高密度光ディスク３０以外の光ディスクであると判別し、ステップＳ７で図８（ａ）に示したようにレンズホルダ８１の移動を中止してフォーカスサーチを停止すると、図８（ｃ）に示したように光ディスク衝突検出器８３からの光ディスク衝突検出信号８３ａは再び０Ｖとなり、ＤＶＤ２０のレーザービーム入射面２１ａに衝突していない状態に戻る。そしてステップＳ８で対物レンズＯＢ３によるＤＶＤ２０への再生を中止する。この結果、光ディスク衝突検出器８３により光ディスク装置５０Ａ内で超高密度光ディスク３０以外の光ディスクが装着されたことを知ることができる。
【００６７】
この後、光ディスク装置５０Ａから超高密度光ディスク３０以外の光ディスクが装着されたことを知らせる警告を出したり、または、光ディスク装置５０Ａ内にＤＶＤ２０用の光ピックアップ（図示せず）が用意されていれば、このＤＶＤ２０用の光ピックアップでＤＶＤ２０を再生すれば良い。
【００６８】
また、ここでの図示を省略するものの、光ディスク装置５０Ａ内に超高密度光ディスク３０以外の光ディスクで例えばＣＤ１０が装着された場合にもレンズホルダ８１の光ディスク側端面８１ａに施したコーティング層８２は、対物レンズＯＢ３から出射したブルー・レーザービームＬ３がＣＤ１０の信号面１２に合焦する前にＣＤ１０のレーザービーム入射面１１ａ｛図１（ａ）｝に衝突するので、ＤＶＤ２０と同様にステップＳ６〜ステップＳ８の処理を行えば良い。
【００６９】
尚、上記した光ディスク衝突検出器８３を、上記した構造でＣＤ１０用の光ピックアップのレンズホルダ（図示せず）とか、ＤＶＤ２０用の光ピックアップのレンズホルダ（図示せず）に取り付けても良く、この場合には、光ディスク衝突検出器８３により不図示のレンズホルダの光ディスク側端面に施したコーティング層がＣＤ１０のレーザービーム入射面１１ａ｛図１（ａ）｝又はＤＶＤ２０のレーザービーム入射面２１ａ｛図１（ｂ）｝に衝突したことを検出することで、予期しないフォーカストラブルが発生したり、予期しない外部振動が加わった時などに、ＣＤ１０又はＤＶＤ２０のレーザービーム入射面やＣＤ１０用又はＤＶＤ２０用の対物レンズを傷つけることなく、光ピックアップの異常状態を知ることができる。
【００７０】
＜第２実施例＞
図９は本発明に係る第２実施例の光ディスク装置を説明するために模式的に示したブロック図である。
【００７１】
図９に示した本発明に係る第２実施例の光ディスク装置５０Ｂは、先に図２を用いて説明した本発明に係る第１実施例の光ディスク装置５０Ａに対して一部改良を図ったものであり、ここでは説明の便宜上、先に示した第１実施例の構成部材と同じ構成部材に対しては同一の符号を付して図示し、且つ、第１実施例に対して異なる点を中心にして説明する。
【００７２】
上記した本発明に係る第２実施例の光ディスク装置５０Ｂも、第１実施例と同様に、超高密度光ディスク３０が図示しないターンテーブル上に回転自在に装着されており、この超高密度光ディスク３０と対応して波長が４００ｎｍ近辺のブルー・レーザービームＬ３を出射するための光ピックアップ７０が超高密度光ディスク３０の径方向に移動自在に設けられている。
【００７３】
ここで、第１実施例と異なる点を説明すると、光ピックアップ７０内のレンズホルダ８１に取り付けた光ディスク衝突検出器８３は、超高密度光ディスク３０以外の光ディスクで、例えば、先に図１（ａ）を用いて説明したＣＤ１０、又は、先に図１（ｂ）を用いて説明したＤＶＤ２０が装着された場合に、対物レンズＯＢ３のワーキングディスタンスＷＤ３｛図１（ｃ）｝が０．４ｍｍ以下であるために、ＣＤ１０の信号面１２又はＤＶＤ２０の信号面２２を対物レンズＯＢ３によりフォーカスサーチした時に、対物レンズＯＢ３から出射したブルー・レーザービームＬ３がＣＤの信号面１２又はＤＶＤ２０の信号面２２に合焦する前にレンズホルダ８１のディスク側端面８１ａに施したコーティング層８２がＣＤ１０のレーザービーム入射面１１ａ又はＤＶＤ２０のレーザービーム入射面２１ａに衝突することを検出すると共に、超高密度光ディスク３０が装着された場合において、超高密度光ディスク３０の信号面３２を対物レンズＯＢ３によりフォーカスサーチし、且つ、予期しないフォーカストラブルが発生したり、予期しない外部振動が加わった時に、対物レンズＯＢ３から出射したブルー・レーザービームＬ３が超高密度光ディスク３０の信号面３２に合焦した後にレンズホルダ８１のディスク側端面８１ａに施したコーティング層８２が超高密度光ディスク３０のレーザービーム入射面３４ａに衝突することを検出している。そして、光ディスク衝突検出器８３からの光ディスク衝突検出信号８３ａを光ディスク衝突検出回路５９に入力して、この光ディスク衝突検出回路５９内で光ディスク衝突検出信号８３ａに対して予め設定した所定の閾値より大きいか否かを比較して、この光ディスク衝突検出信号８３ａが所定の閾値より大きい場合にはコーティング層８２が光ディスクのレーザービーム入射面に衝突したと判定し、一方、所定の閾値より小さい場合にはコーティング層８２が光ディスクのレーザービーム入射面に衝突していないと判定し、この判定結果５９ａを光ディスク種類判別回路６０に入力している。
【００７４】
上記に伴って、対物レンズＯＢ３を介して出射したブルー・レーザービームＬ３が光ディスクの信号面で反射された反射光を４分割型フォトディテクタ７６で検出した検出信号７６ａをプリアンプ５２で増幅し、このプリアンプ５２からの増幅検出信号５２ａを基にして、フォーカスエラー信号検出回路５４は、４分割型フォトディテクタ７６内で４分割した不図示のＡ領域〜Ｄ領域からのＡ信号〜Ｄ信号に対して｛（Ａ＋Ｄ）−（Ｂ＋Ｃ）｝を演算することでフォーカスエラー信号５４ａを得て、このフォーカスエラー信号５４ａを第１実施例と異なってフォーカス制御回路５８と光ディスク種類判別回路６０とに出力している。
【００７５】
この後、光ディスク種類判別回路６０では、光ディスク衝突検出回路５９によりコーティング層８２が光ディスクのレーザービーム入射面に衝突したと判定した場合には、フォーカス信号検出回路５４からのフォーカスエラー信号５４ａにより、対物レンズＯＢ３から出射したブルー・レーザービームＬ３が光ディスクの信号面に合焦する前にコーティング層８２が光ディスクのレーザービーム入射面に衝突したか否かを判定し、ブルー・レーザービームＬ３が光ディスクの信号面に合焦する前にコーティング層８２が光ディスクのレーザービーム入射面に衝突していれば光ディスクは超高密度光ディスク３０以外の光ディスク（ＣＤ１０，ＤＶＤ２０…図１）であると判別する一方、ブルー・レーザービームＬ３が光ディスクの信号面に合焦した後にコーティング層８２が光ディスクのレーザービーム入射面に衝突していれば光ディスクは超高密度光ディスク３０であるが、予期しないフォーカストラブルが発生したり、予期しない外部振動が加わったことにより、コーティング層８２が超高密度光ディスク３０のレーザービーム入射面３４ａに衝突した異常状態であると判別する。
【００７６】
一方、光ディスク衝突検出回路５９によりコーティング層８２が光ディスクのレーザービーム入射面に衝突していないと判定した場合には超高密度光ディスク３０であると判別して、この光ディスク種類判別結果を光ディスク種類判別回路６０から出力するようになっている。
【００７７】
尚、第２実施例でも、光ディスク衝突検出器８３からの光ディスク衝突検出信号８３ａを光ディスク衝突検出回路５９に入力しているが、光ディスク衝突検出信号８３ａを光ディスク判別回路６０に直接入力して、ここで光ディスク衝突検出と光ディスク種類判別とを同時処理することも可能であり、また、光ディスク種類判別回路６０は周知のＣＰＵを用いて処理することも可能である。
【００７８】
ここで、上記のように構成した本発明に係る第２実施例の光ディスク装置５０Ｂ内で光ディスク衝突検出器８３からの光ディスク衝突検出信号８３ａと、フォーカス信号検出回路５４からのフォーカスエラー信号５４ａとを用いて光ディスクの種類を判別する方法について、先に第１実施例で説明した図６，図８および上記第２実施例で説明した図９並びに下記に示す新たな図１０〜図１２を併用して具体的に説明する。
【００７９】
図１０は本発明に係る第２実施例の光ディスク装置において、光ディスクの種類を判別する動作を説明するためのフロー図、
図１１は本発明に係る第２実施例の光ディスク装置において、超高密度光ディスクが装着された場合の異常状態を模式的に示した縦断面図、
図１２は本発明に係る第２実施例の光ディスク装置において、超高密度光ディスクに対してフォーカスサーチした場合の異常状態の波形図である。
【００８０】
図９及び図１０に示した如く、ステップＳ１１で光ピックアップ７０によりフォーカスサーチを開始すると、レンズホルダ部８０のレンズホルダ８１と一体に対物レンズＯＢ３がフォーカス方向に移動する。
【００８１】
次に、ステップＳ１２でレンズホルダ８１の光ディスク側端面８１ａに施したコーティング層８２が光ディスクのレーザービーム入射面に衝突したか否かをレンズホルダ８１の下面に取り付けた光ディスク衝突検出器８３からの光ディスク衝突検出信号８３ａにより光ディスク衝突検出回路５９で検出する。
【００８２】
ここで、ステップＳ１２でコーティング層８２が光ディスクのレーザービーム入射面に衝突していないと判断した場合（ＮＯの場合）は、光ディスク装置５０Ｂ内に超高密度光ディスク３０が装着され且つ正常な状態であり、この場合には、レンズホルダ８１内に取り付けた対物レンズＯＢ３が超高密度光ディスク用であるために、レンズホルダ８１の光ディスク側端面８１ａに施したコーティング層８２は、通常、超高密度光ディスク３０のレーザービーム入射面３４ａに衝突することはなく、ゆえに第１実施例と同様に、図６（ｃ）に示したように光ディスク衝突検出器８３からの光ディスク衝突検出信号８３ａは０Ｖとなり、光ディスク衝突検出回路５９で衝突していないことを検出している。
【００８３】
この後、図１０に示したステップＳ１３で光ディスク種類判別回路６０により超高密度光ディスク３０であると判別し、ステップＳ１４でフォーカスサーボを実行して、ステップＳ１５で対物レンズＯＢ３による超高密度光ディスク３０への再生動作を行う。
【００８４】
しかしながら、光ディスク装置５０Ｂ内に超高密度光ディスク３０を装着した場合において、前述したように予期しないフォーカストラブルが発生したり、予期しない外部振動が加わった時などには、図１１に示した如く、レンズホルダ８１のディスク側端面８１ａに施したコーティング層８２が超高密度光ディスク３０のレーザービーム入射面３４ａに衝突することがあり、この場合に図１０に示したステップ１２でコーティング層８２が光ディスクのレーザービーム入射面に衝突した場合（ＹＥＳの場合）と判断される。すると図１２（ｃ）に示したように光ディスク衝突検出器８３からの光ディスク衝突検出信号８３ａは途中から例えば５Ｖとなり、光ディスク衝突検出回路５９で衝突していることを検出し、フォーカスエラー信号検出回路５４からは図１２（ｂ）に示したようなフォーカスエラー信号５４ａが得られる。
【００８５】
この後、図１０に示したステップＳ１６で、光ディスク衝突検出器８３からの光ディスク衝突検出信号８３ａと、フォーカス信号検出回路５４からのフォーカスエラー信号５４ａとの関係から、フォーカスエラー信号５４ａにおいて対物レンズＯＢ３が合焦する位置よりも近づく場合のＳ字カーブを得た後に、コーティング層８２が超高密度光ディスク３０のレーザービーム入射面３４ａに衝突していることを検出し、これによりコーティング層８２は、ブルー・レーザービームＬ３が超高密度光ディスク３０の信号面３２に合焦する前に超高密度光ディスク３０のレーザービーム入射面３４ａに衝突しないものの、ブルー・レーザービームＬ３が超高密度光ディスク３０の信号面３２に合焦した後に、さらに超高密度光ディスク３０のレーザービーム入射面３４ａに接近し、超高密度光ディスク３０のレーザービーム入射面３４ａに衝突していること（ＮＯの場合であること）がわかる。
【００８６】
これにより図１０に示したステップＳ１７で光ディスク種類判別回路６０により超高密度光ディスク３０が異常状態であると判別し、ステップＳ１８で図１２（ａ）に示したようにレンズホルダ８１の移動を中止してフォーカスサーチを停止すると、図１２（ｃ）に示したように光ディスク衝突検出器８３からの光ディスク衝突検出信号８３ａは再び０Ｖとなり、超高密度光ディスク３０のレーザービーム入射面３４ａに衝突していない状態に戻る。この後ステップＳ１９で、エラー処理を行って、再生中に異常状態が起こったことを知らせる警告を出したり、または、図１０のステップＳ１１で示したフォーカスサーチ開始からリトライする。
【００８７】
一方、ステップＳ１６でブルー・レーザービームＬ３が光ディスクの信号面に合焦する前に衝突した場合（ＹＥＳの場合）は、光ディスク装置５０Ｂ内に超高密度光ディスク３０以外の光ディスクで例えばＤＶＤ２０を装着した場合であり、この場合には、レンズホルダ８１内に取り付けた対物レンズＯＢ３が超高密度光ディスク用であるために、前述のように、レンズホルダ８１の光ディスク側端面８１ａに施したコーティング層８２は、対物レンズＯＢ３から出射したブルー・レーザービームＬ３がＤＶＤ２０の信号面２２に合焦する前にＤＶＤ２０のレーザービーム入射面２１ａに衝突する。ゆえに第１実施例と同様に、図８（ｃ）に示したように光ディスク衝突検出器８３からの光ディスク衝突検出信号８３ａは途中から例えば５Ｖとなり、光ディスク衝突検出回路５９で衝突していることを検出する。この際、フォーカスエラー信号検出回路５４からは図８（ｂ）に示したようなフォーカスエラー信号５４ａが０Ｖのままであるため、対物レンズＯＢ３から出射したブルー・レーザービームＬ３がＤＶＤ２０の信号面２２に合焦する前にコーティング層８２がＤＶＤ２０のレーザービーム入射面２１ａに衝突していることがわかる。
【００８８】
これにより、第１実施例と同様に、図１０に示したステップＳ２０で光ディスク種類判別回路６０により超高密度光ディスク３０以外の光ディスクであると判別し、ステップＳ２１で図８（ａ）に示したようにレンズホルダ８１の移動を中止してフォーカスサーチを停止すると、図８（ｃ）に示したように光ディスク衝突検出器８３からの光ディスク衝突検出信号８３ａは再び０Ｖとなり、ＤＶＤ２０のレーザービーム入射面２１ａに衝突していない状態に戻る。そしてステップＳ２２で対物レンズＯＢ３によるＤＶＤ２０への再生を中止する。この結果、光ディスク装置５０Ｂ内で超高密度光ディスク３０以外の光ディスクが装着されたことを知ることができる。
【００８９】
この後、光ディスク装置５０Ｂから超高密度光ディスク３０以外の光ディスクが装着されたことを知らせる警告を出したり、または、光ディスク装置５０Ｂ内にＤＶＤ２０用の光ピックアップ（図示せず）が用意されていれば、このＤＶＤ２０用の光ピックアップでＤＶＤ２０を再生すれば良い。
【００９０】
また、ここでの図示を省略するものの、光ディスク装置５０Ｂ内に超高密度光ディスク３０以外の光ディスクであるＣＤ１０が装着された場合にもレンズホルダ８１の光ディスク側端面８１ａに施したコーティング層８２は、対物レンズＯＢ３から出射したブルー・レーザービームＬ３がＣＤ１０の信号面１２に合焦する前にＣＤ１０のレーザービーム入射面１１ａ｛図１（ａ）｝に衝突するので、ＤＶＤ２０と同様にステップＳ２０〜ステップＳ２２の処理を行えば良い。
【００９１】
従って、第２実施例では、光ディスク衝突検出器８３からの光ディスク衝突検出信号８３ａと、フォーカスエラー信号検出回路５４からのフォーカスエラー信号５４ａとにより、光ディスク種類判別回路６０は、ブルー・レーザービームＬ３が光ディスクの信号面に合焦する前にコーティング層８２が光ディスクのレーザービーム入射面に衝突した場合には光ディスクは超高密度光ディスク３０以外の光ディスクであると判別する一方、ブルー・レーザービームＬ３が光ディスクの信号面に合焦した後にコーティング層８２が光ディスクのレーザービーム入射面に衝突した場合には光ディスクは超高密度光ディスク３０であり且つ異常状態であると判別しているので、光ディスクのレーザービーム入射面や対物レンズを傷つけることなく、第１実施例よりも品質及び信頼性が高い光ディスク装置５０Ｂを提供できる。
【００９２】
【発明の効果】
以上詳述した本発明に係る光ディスク装置において、請求項１記載よると、光ディスクを記録及び／又は再生するにあたって、光ピックアップ内の対物レンズを支持するレンズホルダのディスク側端面に、光ディスクよりも柔らかく且つ滑り性の良いコーティング材料を用いてコーティング層を施した際、光ディスクの信号面を対物レンズにより記録及び／又は再生した時に、コーティング層が光ディスクのレーザービーム入射面に衝突したことを検出して光ディスク衝突検出信号を出力する光ディスク衝突検出器をレンズホルダに具備したため、光ディスクのレーザービーム入射面や対物レンズを傷つけることなく、光ディスク衝突検出器により光ディスク装置内での光ピックアップの異常状態を知ることができる。
【００９３】
また、請求項２記載によると、光ディスクを記録及び／又は再生するにあたって、光ピックアップのレンズホルダ内にブルー・レーザービーム用の超高密度光ディスクに対応してワーキングディスタンスが設定されたブルー・レーザービーム用の対物レンズを支持すると共に、レンズホルダのディスク側端面に光ディスクよりも柔らかく且つ滑り性の良いコーティング材料を用いてコーティング層を施した際、光ディスクの信号面をブルー・レーザービーム用の対物レンズによりフォーカスサーチした時に、コーティング層が光ディスクのレーザービーム入射面に衝突したことを検出して光ディスク衝突検出信号を出力するためにレンズホルダに取り付けた光ディスク衝突検出器と、光ディスク衝突検出信号により、光ディスクが超高密度光ディスク以外の光ディスクであると判別する光ディスク種類判別手段とを具備したため、光ディスクのレーザービーム入射面や対物レンズを傷つけることなく、光ディスク衝突検出器を介して光ディスク種類判別手段により光ディスク装置内で超高密度光ディスク以外の光ディスクが装着されたことを知ることができる。
【００９４】
また、請求項３記載によると、光ディスクを記録及び／又は再生するにあたって、光ピックアップのレンズホルダ内にブルー・レーザービーム用の超高密度光ディスクに対応してワーキングディスタンスが設定されたブルー・レーザービーム用の対物レンズを支持すると共に、レンズホルダのディスク側端面に光ディスクよりも柔らかく且つ滑り性の良いコーティング材料を用いてコーティング層を施した際、光ディスクの信号面をブルー・レーザービーム用の対物レンズによりフォーカスサーチした時に、コーティング層が光ディスクのレーザービーム入射面に衝突したことを検出して光ディスク衝突検出信号を出力するためにレンズホルダに取り付けた光ディスク衝突検出器と、対物レンズを介して出射したブルー・レーザービームが光ディスクの信号面で反射された反射光をフォトディテクタで検出した検出信号を基にして演算により求めたフォーカスエラー信号を出力するフォーカスエラー信号検出回路と、光ディスク衝突信号とフォーカスエラー信号とにより、ブルー・レーザービームが光ディスクの信号面に合焦する前にコーティング層が光ディスクのレーザービーム入射面に衝突した場合に光ディスクは超高密度光ディスク以外の光ディスクであると判別する一方、ブルー・レーザービームが光ディスクの信号面に合焦した後にコーティング層が光ディスクのレーザービーム入射面に衝突した場合に光ディスクは超高密度光ディスクであり且つ異常状態であると判別する光ディスク種類判別手段とを具備したため、光ディスクのレーザービーム入射面や対物レンズを傷つけることなく、上記した請求項２よりも品質及び信頼性が高い光ディスク装置を提供できる。
【図面の簡単な説明】
【図１】（ａ）〜（ｃ）はＣＤ，ＤＶＤ，超高密度光ディスクを、光ディスク装置内でそれぞれ再生する場合を模式的に示した図である。
【図２】本発明に係る第１実施例の光ディスク装置を説明するために模式的に示したブロック図である。
【図３】図２に示した光ピックアップ内のレンズホルダ部を拡大して示した斜視図である。
【図４】本発明に係る第１実施例の光ディスク装置において、光ディスクの種類を判別する動作を説明するためのフロー図である。
【図５】本発明に係る第１実施例の光ディスク装置において、超高密度光ディスクが装着された場合を模式的に示した縦断面図である。
【図６】本発明に係る第１実施例の光ディスク装置において、超高密度光ディスクを再生した場合の波形図である。
【図７】本発明に係る第１実施例の光ディスク装置において、ＤＶＤが装着された場合を模式的に示した縦断面図である。
【図８】本発明に係る第１実施例の光ディスク装置において、ＤＶＤを再生した場合の波形図である。
【図９】本発明に係る第２実施例の光ディスク装置を説明するために模式的に示したブロック図である。
【図１０】本発明に係る第２実施例の光ディスク装置において、光ディスクの種類を判別する動作を説明するためのフロー図である。
【図１１】本発明に係る第２実施例の光ディスク装置において、超高密度光ディスクが装着された場合の異常状態を模式的に示した縦断面図である。
【図１２】本発明に係る第２実施例の光ディスク装置において、超高密度光ディスクに対してフォーカスサーチした場合の異常状態の波形図である。
【符号の説明】
１０…ＣＤ（Ｃｏｍｐａｃｔ  Ｄｉｓｃ）、
１１…透明ディスク基板、１１ａ…レーザービーム入射面、
１２…信号面、１３…保護膜、
２０…ＤＶＤ（Ｄｉｇｉｔａｌ  Ｖｅｒｓａｔｉｌｅ  Ｄｉｓｃ）、
２１…透明ディスク基板、２１ａ…レーザービーム入射面、
２２…信号面、２３…接着材層、２４…補強用ディスク基板、
３０…超高密度光ディスク、
３１…ディスク基板、３２…信号面、３３…透明接着材層、
３４…透明樹脂シート基板、３４ａ…レーザービーム入射面、
５０Ａ…第１実施例の光ディスク装置、
５０Ｂ…第２実施例の光ディスク装置、
５１…レーザー駆動回路、５２…プリアンプ、５２ａ…増幅検出信号、
５３…トラッキングエラー信号検出回路、５３ａ…トラッキングエラー信号、
５４…フォーカスエラー信号検出回路、５４ａ…フォーカスエラー信号、
５５…ＲＦ信号検出回路、５５ａ…ＲＦ信号、
５６…再生信号処理回路、５６ａ…再生信号、
５７…トラッキング制御回路、５８…フォーカス制御回路、
５９…光ディスク衝突検出回路、６０…光ディスク種類判別回路、
７０…光ピックアップ、７２…半導体レーザー、
７６…４分割型フォトディテクタ、７６ａ…検出信号、
８０…レンズホルダ部、
８１…レンズホルダ、８１ａ…ディスク側端面（上面）、８１ｃ…下面、
８２…コーティング層、
８３…光ディスク衝突検出器、８３ａ…光ディスク衝突検出信号、
８４…トラッキングコイル、８５…フォーカスコイル、
ＯＢ３…超高密度光ディスク用の対物レンズ、
Ｌ３…波長が４００ｎｍ近辺のブルー・レーザービーム。
【図１】
2004310970.tif 000003
【図２】
2004310970.tif 000004
【図３】
2004310970.tif 000005
【図４】
2004310970.tif 000006
【図５】
2004310970.tif 000007
【図６】
2004310970.tif 000008
【図７】
2004310970.tif 000009
【図８】
2004310970.tif 000010
【図９】
2004310970.tif 000011
【図１０】
2004310970.tif 000012
【図１１】
2004310970.tif 000013
【図１２】
2004310970.tif 000014